(57)【要約】      （修正有）【課題】テンプル本体部にテンプルパット体が備わった鼻パッド無し眼鏡において、テンプルパット体を交換することができる鼻パッド無し眼鏡を提供する。【解決手段】鼻パッド無し眼鏡Ａは、テンプル本体部１にテンプルパット体２が脱着自在に取り付けられており、該テンプルパット体２とテンプル本体部１の耳掛け部（モダン部）１Ａとにより、こめかみ部と耳部に支持されるものである。テンプル本体部１は第１取り付け部と該第１取り付け部と間隔をあけて第２取り付け部を備え、テンプルパット体２は、第１取り付け部に対応する第１被取り付け部と、第２取り付け部に対応する第２被取り付け部とを備えている。【選択図】図１
2016080992.tif 000002
【特許請求の範囲】
【請求項１】
フロント部と該フロント部に取り付けられたテンプル本体部とを備えた鼻パッド無し眼鏡であって、該テンプル本体部にテンプルパット体が脱着自在に取り付けられており、該テンプルパット体とテンプル本体部の耳掛け部（モダン部）とにより、こめかみ部と耳部に支持されるものであることを特徴とする鼻パッド無し眼鏡。
【請求項２】
前記テンプル本体部は第１取り付け部と該第１取り付け部と間隔をあけて第２取り付け部を備え、前記テンプルパット体は、該第１取り付け部に対応する第１被取り付け部と、該第２取り付け部に対応する第２被取り付け部とを備えていることを特徴とする請求項１記載の鼻パッド無し眼鏡。
【請求項３】
前記各被取り付け部は、前記テンプル本体部の各取り付け部の凹部に嵌合する突起部であることを特徴とする請求項２記載の鼻パッド無し眼鏡。
【請求項４】
前記各被取り付け部は、前記テンプル本体部の各取り付け部の突起部に嵌合する凹部であることを特徴とする請求項２記載の鼻パッド無し眼鏡。
【請求項５】
前記被取り付け部の一方は、前記テンプル本体部の取り付け部の凹部に嵌合する突起部であり、前記被取り付け部の他方は、前記テンプル本体部の取り付け部の突起部に嵌合する凹部であることを特徴とする請求項２記載の鼻パッド無し眼鏡。
【請求項６】
前記テンプルパット体は、前記テンプル本体部の長手方向に反転させて取り付け可能となっていることを特徴とする請求項１記載の鼻パッド無し眼鏡。
【請求項７】
前記テンプルパット体は、可撓性を有し屈曲させて前記テンプル本体部に取り付けるものであることを特徴とする請求項１記載の鼻パッド無し眼鏡。
【請求項８】
前記テンプルパット体は、被取り付け部以外の部分が可撓性を有し屈曲させて前記テンプル本体部に取り付けるものであることを特徴とする請求項１記載の鼻パッド無し眼鏡。
【請求項９】
前記テンプルパット体には、滑り防止のための溝部が形成されていることを特徴とする請求項１記載の鼻パッド無し眼鏡。
【発明の詳細な説明】
【技術分野】
【０００１】
本発明は、装着安定性の優れた鼻パッド無し眼鏡に関し、更に詳しくは、テンプル本体部に設けたテンプルパット体を容易に交換することができる鼻パッド無し眼鏡に関する。
【背景技術】
【０００２】
通常、眼鏡は、その重さを支えるためフロント部にノーズパッドを備えている。
このノーズパッドは、具体的には、ブリッジ（いわゆる「山」）やブリッジ近傍のリムに一体に取り付けられている。
従って、眼鏡が顔に装着された際は、眼鏡の重さは、ノーズパッドを介して着用者の鼻部によって一方で支持され、また他方では、テンプルの後端部（モダン部）を介して耳部によって支持される。
【０００３】
しかし、レンズ部を有するフロント部が前方にあるので、重量は耳部より、鼻部で支える方が大きい。
そのためノーズパッドを介して鼻骨を押圧するように作用するため、鼻部の方に大きな負担が加わる。
特に、レンズが厚い度付きガラスのような重い重量の場合は、接圧が増し鼻骨への負担が大きくなる。
【０００４】
また、ノーズパッド部は肌と、直接、接しているため、その押圧された部分が赤く変色したり、極端には擦れて傷が付く場合もある。
特に化粧を行う女性は敏感であり、ノーズパッド部が当接した鼻部の一部に荷重が集中し、化粧がその部分だけ剥がれてしまうようなことは、極力回避しなければならない。
このような問題点を解決するものとして、ノーズパッドを備えていない鼻パッド無し眼鏡が幾つか開発されている。
【０００５】
例えば、特許文献１には、ノーズパッドを備えていない眼鏡が示されており、これらはずり落ち防止部がテンプルの中間位置に設けられた構造を有するもので、その位置の調整が可能である。
【０００６】
また特許文献２には、こめかみ部分を押圧する湾曲した板バネのような当たり部を設けた鼻パッド無し眼鏡が示されており、この板バネの一端は、形の調整のためスライド可能になっている。
しかし、これらのずり落ち防止部や板バネは、取り外しができない。
眼鏡は、使っているうちに汗、塩分、脂分等の汚れにより腐食し、極端には損傷することもある。
【０００７】
特に、鼻パッド無し眼鏡は、これらの部分に汗等が生じるこめかみ部に圧接するため、尚更、損傷し易い。
このような場合には、テンプル自体を取り換える必要がある。
このような必要性があるのにもかかわらず、鼻パッド無し眼鏡における取り換え自在なパッドは、未だ提供されていない。
【先行技術文献】
【特許文献】
【０００８】
【特許文献１】特開平１０−１６１０６８号公報
【特許文献２】特開２００３−１２１８００号公報
【発明の概要】
【発明が解決しようとする課題】
【０００９】
本発明は上記のような問題点を背景になされたものである。
すなわち本発明は、テンプル本体部にテンプルパット体が備わった鼻パッド無し眼鏡において、テンプルパット体が交換できる鼻パッド無し眼鏡を提供することを目的とする。
【課題を解決するための手段】
【００１０】
本発明者は、上記課題を解決するため鋭意検討したところ、テンプルパット体をテンプル本体部に対して積極的に脱着自在とすることにより、上記問題点を解決できることを見出し、本発明を完成させるに至った。
【００１１】
本発明は、（１）、フロント部３と該フロント部３に取り付けられたテンプル本体部１とを備えた鼻パッド無し眼鏡であって、該テンプル本体部１にテンプルパット体２が脱着自在に取り付けられており、該テンプルパット体２とテンプル本体部１の耳掛け部（モダン部）１Ａとにより、こめかみ部と耳部に支持されるものである鼻パッド無し眼鏡Ａに存する。
【００１２】
本発明は、（２）、前記テンプル本体部１は第１取り付け部１１と該第１取り付け部１１と間隔をあけて第２取り付け部１２を備え、前記テンプルパット体２は、該第１取り付け部１１に対応する第１被取り付け部２１と、該第２取り付け部１２に対応する第２被取り付け部２２とを備えている上記（１）記載の鼻パッド無し眼鏡Ａに存する。
【００１３】
本発明は、（３）、前記各被取り付け部は、前記テンプル本体部１の各取り付け部の凹部に嵌合する突起部である上記（２）記載の鼻パッド無し眼鏡Ａに存する。
【００１４】
本発明は、（４）、前記各被取り付け部は、前記テンプル本体部１の各取り付け部の突起部に嵌合する凹部である上記（２）記載の鼻パッド無し眼鏡Ａに存する。
【００１５】
本発明は、（５）、前記被取り付け部の一方は、前記テンプル本体部１の取り付け部の凹部に嵌合する突起部であり、前記被取り付け部の他方は、前記テンプル本体部１の取り付け部の突起部に嵌合する凹部である上記（２）記載の鼻パッド無し眼鏡Ａに存する。
【００１６】
本発明は、（６）、前記テンプルパット体２は、前記テンプル本体部１の長手方向に反転させて取り付け可能となっている上記（１）記載の鼻パッド無し眼鏡Ａに存する。
【００１７】
本発明は、（７）、前記テンプルパット体２は、可撓性を有し屈曲させて前記テンプル本体部１に取り付けるものである上記（１）記載の鼻パッド無し眼鏡Ａに存する。
【００１８】
本発明は、（８）、前記テンプルパット体２は、被取り付け部２Ａ以外の部分２Ｂが可撓性を有し屈曲させて前記テンプル本体部１に取り付けるものである上記（１）記載の鼻パッド無し眼鏡Ａに存する。
【００１９】
本発明は、（９）、前記テンプルパット体２には、滑り防止のための溝部Ｇが形成されている上記（１）記載の鼻パッド無し眼鏡Ａに存する。
【００２０】
本発明の目的に添ったものであれば上記（１）〜（９）に記載の発明を適宜組み合わせる構成も採用可能である。
【発明の効果】
【００２１】
１）本発明の鼻パッド無し眼鏡は、フロント部３と該フロント部３に取り付けられたテンプル本体部１とを備えた鼻パッド無し眼鏡であって、該テンプル本体部１にテンプルパット体２が取り外し自在に取り付けられており、該テンプルパット体２とテンプル本体部１の耳掛け部（モダン部）１Ａとにより、こめかみ部と耳部に支持されるものであるので、テンプルパット体２を積極的に交換することができる。
そのため、汚れたり、損傷したりする場合に取り外して新しいものに交換することができる。
また、損傷しなくても趣向性のある形状や色彩の異なったものに積極的に交換することが可能である。
着用者は、種々のテンプルパット体２を用意しておき、必要に応じて交換することができる。
【００２２】
２）また、前記テンプル本体部は第１取り付け部１１と該第１取り付け部１１と間隔をあけて第２取り付け部１２を備え、前記テンプルパット体２は、該第１取り付け部１１に対応する第１被取り付け部２１と、該第２取り付け部１２に対応する第２被取り付け部２２とを備えていることにより、テンプルパット体２は、その両端がテンプル本体部に取り付けられることから、その固定が確実となる。
【００２３】
３）４）また、前記各被取り付け部は、前記テンプル本体部１の各取り付け部の凹部に嵌合する突起部であること、又は前記各被取り付け部は、前記テンプル本体部１の各取り付け部の突起部に嵌合する凹部であることにより、嵌め込みにより容易に取り付けることができる。
【００２４】
５）また、前記被取り付け部の一方は、前記テンプル本体部１の取り付け部の凹部に嵌合する突起部であり、前記被取り付け部の他方は、前記テンプル本体部１の取り付け部の突起部に嵌合する凹部であることから、同様に嵌め込みにより容易に取り付けることができる。
【００２５】
６）、また、前記テンプルパット体２は、前記テンプル本体部１の長手方向に反転させて取り付け可能となっているので、取り付けの際に前後方向を気にせずに容易にその操作が行える。
【００２６】
７）また、前記テンプルパット体２は、可撓性を有し屈曲させて前記テンプル本体部１に取り付けるものであることから、テンプルパット体２の両端の取り付けが一挙に効率よく行える。
更に可撓性なので、肌に柔らかく優しく圧接することができる。
【００２７】
８）また、前記テンプルパット体２は、被取り付け部２Ａ以外の部分２Ｂが可撓性を有するものであることから、テンプルパット体２の両端は確実に固定され、且つ可撓性を有する部分２Ｂにより湾曲が容易に行えるため取り付け操作が簡単である。
【００２８】
９）た、前記テンプルパット体２には、滑り防止のための溝部Ｇが形成されていることにより、前記テンプル本体部１がずれることがなく、フィット性がより向上する。
ここで、溝部Ｇが縦溝である場合は、テンプル本体部１を着用した状態で前後方向の移動を防止でき、装着安定性がより高まる。
【図面の簡単な説明】
【００２９】
【図１】図１は、第１実施形態に係る鼻パッド無し眼鏡を示す斜視図である。
【図２】図２は、第１実施形態に係る鼻パッド無し眼鏡においてテンプルパット体を取り除いた状態を示す斜視図である。
【図３】図３は、テンプルパット体を示し、（Ａ）は側面図であり、また（Ｂ）は平面図である。
【図４】図４は、テンプルパット体のテンプル本体部に対する取り付け方を説明する図であり、（Ａ）は取り付ける前、（Ｂ）は取り付ける前の湾曲状態、（Ｃ）は取り付け途中、（Ｄ）は取り付けた後を各々示す。
【図５】図５は、第２実施形態におけるテンプル本体部の取り付け部とテンプルパット体の被取り付け部の関係を各々示す。
【図６】図６は、第３実施形態におけるテンプル本体部の取り付け部とテンプルパット体の被取り付け部との関係を各々示す。
【図７】図７は、可撓性を有するテンプルパット体の平面図であり、（Ａ）は屈曲前、（Ｂ）は屈曲した後を示す。
【図８】図８は、可撓性を持たせたテンプルパット体のテンプル本体部に対する取り付け方を説明する図であり、（Ａ）は取り付ける前、（Ｂ）は取り付ける前の屈曲状態、（Ｃ）は取り付け途中、（Ｄ）は取り付けた後を各々示す。
【図９】図９は、両端にある取り付け部以外の部分が可撓性を有するテンプルパット体を示す平面図である。
【図１０】図１０は、溝部を設けたテンプルパット体を示し、（Ａ）は側面図であり、また（Ｂ）は平面図である。
【発明を実施するための形態】
【００３０】
以下、必要に応じて図面を参照しつつ、本発明の好適な実施形態について詳細に説明する。
なお、図面中、同一要素には同一符号を付すこととし、重複する説明は省略する。また、図面の寸法比率は図示の比率に限られるものではない。
【００３１】
（第１実施形態）
図１は、第１実施形態に係る鼻パッド無し眼鏡Ａを示す斜視図であり、図２は、第１実施形態に係る鼻パッド無し眼鏡Ａにおいてテンプルパット体２を取り除いた状態を示す斜視図である。
【００３２】
図１に示すように、本発明の鼻パッド無し眼鏡Ａは、レンズ部３２やブリッジ部３１等を有するフロント部３と、該フロント部３に取り付けられたテンプル本体部１とを有する。そしてテンプル本体部１にはテンプルパット体２が備わっている。
テンプル本体部１は、枢着部３４（いわゆる丁番）を介してフロント部３（リム部３３）に回動開閉自在となっている。
なお、枢着部３４がなく、テンプル本体部１の弾性屈曲により回動開閉が行われることも可能である。
【００３３】
本発明の鼻パッド無し眼鏡Ａは、テンプル本体部１に対して、このテンプルパット体２が取り付けられており、しかもこれを容易に交換することができることが主な特徴である。
この鼻パッド無し眼鏡Ａは、フロント部３に鼻パッドは備わってないので、顔に装着した場合に、顔への支持構造としては、鼻部で支持されることはなく、頬骨（詳しくは頬骨弓）付近のこめかみ部と耳部によって支えられる。
【００３４】
テンプルパット体２がこめかみ部に当接し、テンプル本体部１の後端部の耳掛け部（モダン部）１Ａが耳部に当接して支えられることとなる。
従って、鼻部に負担がなく、しかも眼鏡全体が頭部に確実に支持されるため装着安定性に優れフィット感もきわめて良い。
【００３５】
テンプル本体部１は、第１取り付け部１１と該第１取り付け部１１と間隔をあけて第２取り付け部１２を備えている。
この第１取り付け部１１と第２取り付け部１２とは、後述するテンプルパット体２を脱着自在に取り付けるための部分である。
第１取り付け部１１と第２取り付け部１２との間のテンプルパット体２が当接する部分(当接部）は平坦な面（或いは曲面）となっている。
【００３６】
（テンプルパット体）
このテンプルパット体２は、テンプル本体部１のほぼ中間位置（詳しくはこめかみ部に当接する部分）に取り付けられており、積極的に、取り付け及び取り外しすなわち着脱が可能である。
【００３７】
図３は、テンプルパット体２を示し、（Ａ）は側面図であり、また（Ｂ）は平面図である。
テンプルパット体２は、全体が山形を呈しており、テンプル本体部１に当接する部分（当接部）が平坦な面（或いは曲面）に形成され、反対側の上面部は滑らかな突状曲面に形成されている。
このように滑らかな突状曲面なので、テンプルパット体２が、直接、こめかみ部の皮膚に圧接しても痕や傷を与えない。
【００３８】
テンプルパット体２は、テンプル本体部１に取り付けるため、その一方の端に第１被取り付け部２１を、また他方の端に第２被取り付け部２２とを備えている。
この第１被取り付け部２１は、前述のテンプル本体部１の第１取り付け部１１に取り付ける部分であり、第２被取り付け部２２はテンプル本体部１の第２取り付け部１２に取り付ける部分である。
【００３９】
この実施の形態では、第１取り付け部１１には凹部が形成されており、第１被取り付け部２１には、それに嵌り込む突起部が形成されている。
同様に、第２取り付け部１２には凹部が形成されており、第２被取り付け部２２には、それに嵌り込む突起部が形成されている。
テンプルパット体２の取り付けに当たっては、テンプル本体部１の各取り付け部１１，１２にテンプルパット体２の各被取り付け部２１，２２を嵌め込むことにより両者は確実に取り付けられる。
【００４０】
すなわち第１取り付け部１１の凹部に第１被取り付け部２１の突起部を嵌め込み、同様に、第２取り付け部１２の凹部に、第２被取り付け部２２の突起部を嵌め込む。
ここでテンプルパット体２は、適度な弾性を有する観点から、その材料として合成樹脂が使用されることが好ましい。
そのため次に述べるような取り付け操作ができる。
【００４１】
図４は、そのテンプルパット体２のテンプル本体部１に対する取り付け方を説明する図であり、図４（Ａ）は取り付ける前、図４（Ｂ）は取り付ける前の湾曲状態、図４（Ｃ）は取り付け途中、図４（Ｄ）は取り付けた後を各々示す。
まず、テンプルパット体２の各被取り付け部（２１，２２）をテンプル本体部１の取り付け部（１１，１２）に対向させる〔図４（Ａ）参照〕。
そしてテンプルパット体２の第２被取付け部２２である突起部をテンプル本体部１の第２取り付け部１２である凹部に差し込む〔図４（Ｂ）参照〕。
次に、テンプルパット体２を少し湾曲させて、いったん両端間の距離を縮める。
そしてテンプルパット体２の第１被取付け部２１である突起部をテンプル本体部１の第１取り付け部１１である凹部に差し込む〔図４（Ｃ）参照〕。
これでテンプルパット体２はテンプル本体部１に取り付けられて確実に固定される〔図４（Ｄ）参照〕。
【００４２】
テンプルパット体２の底面は平坦な面なのでテンプル本体部１の平面状の取り付け面に密接させることができる。
次に、テンプルパット体２を取り外す場合は、上述した操作を逆に行えばよい。
このようにテンプルパット体２の僅かの弾性を利用して取り付けと取り外し、すなわち着脱が容易に行える。
【００４３】
（第２実施形態）
図５は、この第２実施形態におけるテンプル本体部１の取り付け部とテンプルパット体２の被取り付け部との関係を各々示す。
この実施の形態では、テンプル本体部１の第１取り付け部１１には、突起部が形成されており、対応するテンプルパット体２の第１被取り付け部２１には、凹部が形成されている。
同様にテンプル本体部１の第２取り付け部１２には、突起部が形成されており、対応するテンプルパット体２の第２被取り付け部２２には、凹部が形成されている。
取り付け方は、第１実施形態と同様な手順で行うことができる。
【００４４】
（第３実施形態）
図６は、この第３実施形態におけるテンプル本体部１の取り付け部と、テンプルパット体２の被取り付け部との関係を各々示す。
この実施の形態は、第１取り付け部１１と第２取り付け部１２が一方が凹部で他方が突起部となっており、第１被取り付け部２１と第２被取り付け部２２も一方が突起部で他方が凹部となっている例である。
【００４５】
すなわち図６（Ａ）に示すように、テンプル本体部１の第１取り付け部１１には、凹部が形成されており、対応するテンプルパット体２の第１被取り付け部２１には、突起部が形成されている。
そして、テンプル本体部１の第２取り付け部１２には、突起部が形成されており、対応するテンプルパット体２の第２被取り付け部２２には、凹部が形成されている。
また、図６（Ｂ）に示すように、テンプル本体部１の第１取り付け部１１には、突起部が形成されており、対応するテンプルパット体２の第１被取り付け部２１には、凹部が形成されている。
そして、テンプル本体部１の第２取り付け部１２には、凹部が形成されており、対応するテンプルパット体２の第２被取り付け部２２には、突起部が形成されている。
これらの取り付け方は、第１実施形態と同様な手順で行うことができる。
【００４６】
（第４実施形態）
この実施の形態は、上述した第１実施形態乃至第３実施形態のテンプルパット体２において、積極的に可撓性を持たせ、屈曲を容易に可能なものにした例である。
図７は、可撓性を有するテンプルパット体２の平面図であり、（Ａ）は屈曲前、（Ｂ）は屈曲した後を示す。
テンプルパット体２が可撓性を有することから、テンプル本体部１に装着する際に、全体に湾曲し易く、嵌め込みが極めて容易となる。
また、可撓性なので、肌に柔らかく優しく圧接することができる。
材質としては、例えばシリコーンゴム等のエラストマーが好ましく採用される。
【００４７】
図８は、可撓性を持たせたテンプルパット体２のテンプル本体部１に対する取り付け方を説明する図であり、図８（Ａ）は取り付ける前、図８（Ｂ）は取り付ける前の屈曲状態、図８（Ｃ）は取り付け途中、図８（Ｄ）は取り付けた後を各々示す。
【００４８】
まず、テンプルパット体２の各被取り付け部をテンプル本体部１２の各取り付け部に対向させる〔図８（Ａ）参照〕。
次に、テンプルパット体２を、大きく湾曲させて両端間の距離を大きく縮める。
テンプルパット体２は可撓性を有するのでこのように曲げ易い。
そして、テンプルパット体２の第１被取付け部（凹部）２１をテンプル本体部１の第１取り付け部（突起部）１１に且つテンプルパット体２の第２被取付け部（凹部）２２をテンプル本体部１の第２取り付け部（突起部）１２に差し込む〔図８（Ｂ）参照〕。
テンプルパット体２が、可撓性を有するので、このように、湾曲させて一挙にその両端を、テンプル本体部１に取り付けることができる。
そのため効率の良い取り付け操作が行える。
もっとも、この取り付け方の場合においても、前述の第１実施形態と同じように、テンプルパット体２を片方ずつテンプル本体部１に取り付けることも当然できる。
【００４９】
（第５実施形態）
この第５実施形態のテンプルパット体２は、両端にある被取り付け部２Ａ以外の部分２Ｂが可撓性を有するものである。
図９は、両端にある被取り付け部２Ａ以外の部分２Ｂが可撓性を有するテンプルパット体２を示す平面図である。
被取り付け部２Ａが適度の剛性を有することが、固定力を維持することから好ましく、また、被取り付け部２Ａ以外の部分２Ｂは可撓性を有するものであることが、屈曲させて取り付ける操作がし易いことから好ましい。
【００５０】
（第６実施形態）
この第６実施形態のテンプルパット体２は、山形の部分に溝部Ｇを設けたものである。
図１０は、溝部を設けたテンプルパット体２を示し、図１０（Ａ）は側面図であり、また図１０（Ｂ）は平面図である。
【００５１】
装着した場合、溝部Ｇを有することによりテンプル本体部１がずれることがなく、フィット性がより向上する。
ここで、溝部Ｇが縦溝である場合は、テンプル本体部１を着用した状態で前後方向の移動を防止する効果が大である。
【００５２】
（第７実施形態）
この第７実施形態のテンプルパット体２は、テンプル本体部１の長手方向に反転させて取り付け可能となっているものである。
この場合、テンプルパット体２の第１被取り付け部２１はテンプル本体部１の第１取り付け部１１及び第２取り付け部１２に共通に取り付けられるようにし、且つテンプルパット体２の第２被取り付け部２２もテンプル本体部１の第１取り付け部１１及び第２取り付け部１２に共通に取り付けられるようにしておく。
テンプル本体部１の長手方向に反転させて取り付けできるので、テンプルパット体２の方向性に拘束されない。
従って、取り付けの際に前後方向を気にせずに容易にその操作が行える利点がある。
ところで、あえてテンプルパット体２の形状を、テンプル本体部１の長手方向に非対称形状（山形の頂点を中央からずらす）とすることで、着用者のこめかみ形状に、よりフィットする方向に、テンプルパット体２を反転させて取り付けることも可能である。
こうすることで、ひとつのテンプルパット体２において、２種類の装着性を与えることができる。
【００５３】
（鼻パッド無し眼鏡Ａ以外の眼鏡に対する適用）
前述したように、本発明の鼻パッド無し眼鏡Ａは、テンプルパット体２を備えていることで、着用者の鼻に負担がないという利点がある。
しかし、この利点については、敢えて鼻パッドを備えた眼鏡に適用することも可能である。
すなわち鼻パッドの鼻への接圧を軽減する上で、極めて有用である。
【００５４】
鼻パッド無し眼鏡Ａを装着すると鼻パッドが無いことに違和感があるという人にとっては、敢えて鼻パッドを備えた眼鏡に、本発明のようなテンプルパット体２を備えることで、鼻への圧力負担を大きく低下させることができ、また気分的な違和感も解消される。
【００５５】
以上、本発明の実施形態について説明したが、本発明は上記実施形態に限定されるものではない。
本実施形態に係る鼻パッド無し眼鏡Ａにおいて、各取り付け部と各被取り付け部との結合構造は、着脱自在であるならば、更なる設計変更も可能である。
またテンプルパット体２に趣向性に合わせて装飾を付与することも可能である。
【産業上の利用可能性】
【００５６】
本発明は、汚れたり、損傷したりする場合に取り外して新しいものに交換することができ、また損傷しなくても趣向性のある形状や色彩の異なったものに積極的に交換することが可能である。
しかも鼻部に荷重の負担がなく、確実に支持されるため装着安定性に極めて優れている。
そのため、溶接の際使うような業務用の眼鏡、立地画像を見ることができる眼鏡、眼鏡式双眼鏡等、広範囲な分野での眼鏡にも、十分適用可能ある。
【符号の説明】
【００５７】
１・・・テンプル本体
１Ａ・・・耳掛け部（モダン部）
１１・・・第１取り付け部
１２・・・第２取り付け部
２・・・テンプルパット体
２Ａ・・・被取り付け部
２Ｂ・・・被取り付け部以外の部分
２１・・・第１被取り付け部
２２・・・第２被取り付け部
３・・・フロント部
３１・・・ブリッジ部
３２・・・レンズ部
３３・・・リム部
３４・・・枢着部（丁番）
Ａ・・・鼻パッド無し眼鏡
Ｇ・・・溝部  
【図１】
2016080992.tif 000003
【図２】
2016080992.tif 000004
【図３】
2016080992.tif 000005
【図４】
2016080992.tif 000006
【図５】
2016080992.tif 000007
【図６】
2016080992.tif 000008
【図７】
2016080992.tif 000009
【図８】
2016080992.tif 000010
【図９】
2016080992.tif 000011
【図１０】
2016080992.tif 000012